(57)【要約】【課題】ＥＳＲ特性に優れた固体電解コンデンサを提供する。【解決手段】陽極部及び陰極部を具えたコンデンサ素子と、該陽極部と電気的に接続されている陽極端子と、該陰極部と電気的に接続されている陰極端子と、前記コンデンサ素子を被覆する外装樹脂とを具える固体電解コンデンサにおいて、前記陰極端子は、前記陰極部と面で接触している上段部と、前記外装樹脂から露出している下段部を有し、前記外装樹脂の下端面と前記下段部の上面とは略同一平面をなしていることを特徴とする。【選択図】図２
2011160011.tif 000002
【特許請求の範囲】
【請求項１】
陽極部及び陰極部を具えたコンデンサ素子と、該陽極部と電気的に接続されている陽極端子と、該陰極部と電気的に接続されている陰極端子と、前記コンデンサ素子を被覆する外装樹脂とを具える固体電解コンデンサにおいて、
前記陰極端子は、上段部と下段部と側部とを有し、
前記上段部は、前記陰極部と接続され、
前記下段部は、前記外装樹脂から露出し、
前記側部は、前記上段部から前記陰極部の側面に沿って延在するとともに、該側面と接続され、
前記陽極端子および陰極端子が並ぶ方向において、前記側部の長さは、前記上段部の長さよりも長いことを特徴とする固体電解コンデンサ。
【請求項２】
前記上段部の上面は、前記陰極部の下面と接続され、
前記下段部の下面は、前記外装樹脂から露出し、
前記下段部の上面の少なくとも一部は、外装樹脂を介して前記陰極部の下面の一部と対向することを特徴とする請求項１に記載の固体電解コンデンサ。
【発明の詳細な説明】
【技術分野】
【０００１】
本発明は、コンデンサ素子に接続している陽極端子及び陰極端子が、外装樹脂の周囲を入り込むことなく外装樹脂から露出する固体電解コンデンサに関する。
【背景技術】
【０００２】
従来の固体電解コンデンサとして、例えば図５に示すような構造のものが知られている。すなわち、図５は、図４に示すような陽極リード２１が植立された陽極体２２の周面に誘電体皮膜層３、陰極層４１、陰極引出層４２が順次形成されてなるコンデンサ素子１と、外装樹脂６と、陽極端子７及び陰極端子８を具えており、前記陽極端子７及び陰極端子８の一部は前記外装樹脂６から露出し、該外装樹脂６の周面に沿って折り曲げてなる。
【０００３】
このような構造の固体電解コンデンサを作製するには、コンデンサ素子１を外装樹脂６で被覆後、外装樹脂６から露出している陽極及び陰極端子７、８を外装樹脂６に沿って折り曲げる工程が必要であった。また、この折り曲げは、実際には垂直に曲げることは困難であり、ある程度の歪みができてしまう。この歪みのため、作製された固体電解コンデンサが規格より大きくなってしまい、製品不良につながるという問題もあった。さらには、陽極及び陰極端子７、８を折り曲げるためには、曲げ代が必要なため、外装樹脂６の大きさをある程度確保しなければならず、従って固体電解コンデンサの小型低背化や、コンデンサ素子１の体積効率を向上させることが困難であった。また、コンデンサ素子の陽極リード及び陰極引出層から陽極端子及び陰極端子の端子となる部分への引出し距離が長く、固体電解コンデンサの低ＥＳＲ化ができないという問題があった。
【０００４】
上記の問題点を解決するため、例えば特許文献１や特許文献２のような構造の固体電解コンデンサが提案されている。
【先行技術文献】
【特許文献】
【０００５】
【特許文献１】特開２００１−２４４１４５号公報
【特許文献２】特開２００１−１６７９７６号公報
【発明の概要】
【発明が解決しようとする課題】
【０００６】
特許文献１の固体電解コンデンサは、外装樹脂と、陽極端子及び陰極端子の下端面とが同一平面を形成している。このような構造の固体電解コンデンサを作製するには、コンデンサ素子と陽極端子及び陰極端子とを接続した後、モールド成形時に外装樹脂が陽極端子及び陰極端子の下面に入りこまないように、陽極端子及び陰極端子の下面を絶縁テープ等で保護する必要がある。また、陽極端子及び陰極端子の下面に絶縁テープ等を貼り付けても外装樹脂の入りこみを完全に防ぐことはできず、製品不良が起こるという問題がある。さらには、モールド成形時に上型と下型の界面にテープの厚みを考慮したスペースを設ける必要があり、テープに対するモールド金型の圧力が十分に大きくないためにテープ貼り付け面に外装樹脂が漏れてしまうという問題もある。
【０００７】
また、特許文献２は、陽極端子及び陰極端子間が絶縁テープにより絶縁することで、外装樹脂の体積を減少させ、コンデンサ素子の体積効率をはかっている。しかしながら、このような構造の固体電解コンデンサを作製するには、陽極端子及び陰極端子となる導電シートに絶縁シートを貼る工程が必要である。また、このような構造では、コンデンサ素子と陰極端子との接触面積が小さくなってしまうと共に、コンデンサ素子の陰極層と陰極端子との引出し距離が少なくとも絶縁テープの厚み分以上となり、固体電解コンデンサのＥＳＲが低減できないという問題がある。
【課題を解決するための手段】
【０００８】
上記の問題を鑑みて、本発明は、陽極部及び陰極部を具えたコンデンサ素子と、該陽極部と電気的に接続されている陽極端子と、該陰極部と電気的に接続されている陰極端子と、前記コンデンサ素子を被覆する外装樹脂とを具える固体電解コンデンサにおいて、前記陰極端子は、上段部と下段部と側部とを有し、前記上段部は、前記陰極部と接続され、前記下段部は、前記外装樹脂から露出し、前記側部は、前記上段部から前記陰極部の側面に沿って延在するとともに、該側面と接続され、前記陽極端子および陰極端子が並ぶ方向において、前記側部の長さは、前記上段部の長さよりも長いことを特徴とする。
【０００９】
また、前記上段部の上面は、前記陰極部の下面と接続され、前記下段部の下面は、前記外装樹脂から露出し、前記下段部の上面の少なくとも一部は、外装樹脂を介して前記陰極部の下面の一部と対向することが好ましい。
【発明の効果】
【００１０】
前記陽極端子および陰極端子が連なる方向において、前記側部の長さが前記上段部の長さよりも長いことにより、コンデンサ素子の陰極部と陰極端子との接触面積が大きくなり、固体電解コンデンサのＥＳＲの低減に寄与することができる。
【図面の簡単な説明】
【００１１】
【図１】本発明の一実施形態の固体電解コンデンサの断面図である。
【図２】本発明の別の実施形態の固体電解コンデンサの断面図である。
【図３】図２の固体電解コンデンサのＸ方向透視図である。
【図４】コンデンサ素子の断面図である。
【図５】従来の固体電解コンデンサの断面図である。
【発明を実施するための最良の形態】
【００１２】
本発明の固体電解コンデンサについて、図を用いて説明する。
（実施形態１）
図１は、本発明の第１の実施形態の固体電解コンデンサの断面図である。該固体電解コンデンサは、コンデンサ素子１と、外装樹脂６と、陽極端子７と、陰極端子８を具えており、少なくとも陽極端子７及び陰極端子８の下面及び外装樹脂６から露出した側面はメッキ処理されている。ここで示すコンデンサ素子１は、例えば図４に示すような構造をしている。即ち陽極リード２１を植立した陽極体２２の周面に、誘電体皮膜層３及び陰極層４１、陰極引出層４２からなる陰極部４を順次積層して構成されている。これら陽極リード２１、陽極体２２、誘電体皮膜層３、陰極層４１、陰極引出層４２は、既知の種々の材料を用いることができ、また誘電体皮膜層３、陰極層４１、陰極引出層４２は、単層からなっていても、複数の層から形成されていてもよい。ここでコンデンサ素子１は、上記のように陽極リード２１を植立した陽極体２２を用いることは必ずしも必要ではなく、例えば
アルミニウム箔のような箔状のものを用いてもよい。
【００１３】
以下陽極リード２１をコンデンサ素子１の陽極部２、陰極層４１及び陰極引出層４２をコンデンサ素子の陰極部４として説明する。
【００１４】
コンデンサ素子１の陽極部２と陽極端子７、陰極部４と陰極端子８は夫々接続されている。該陽極端子７は立ち上がり部７１を有しており、立ち上がり部７１で陽極部２と陽極端子７とは接続されている。この陽極端子７の形状は、特に図１に示す形状に限るものではなく、例えば陽極部２と直接接続するのに十分な高さを有する陽極端子７を用いてもよいし、図２に示すように導電部材９を介して接続していてもよい。
【００１５】
陰極端子８には段部が設けられており、陰極部４は陰極端子８の上段部８１と接続されている。該陰極端子８の下段部８２は外装樹脂６から露出しており、下段部８２の上面は外装樹脂の下端面と略同一平面上に位置している。
【００１６】
また、陽極端子７及び陰極端子８の下段部８２は夫々コンデンサ素子１の陽極部２と陰極部４が連なる方向について、外装樹脂６から突出しており、該突出した側面にはメッキ処理が施されている。このような構成とすることで、固体電解コンデンサを基板に実装する際、半田フィレットを容易に確認することができる。
（実施形態２）
本発明の第２の実施形態は図２に示す通りである。図２の固体電解コンデンサは、コンデンサ素子１と外装樹脂６と、陽極端子７と、陰極端子８を具えている。コンデンサ素子１の構成は図１の実施の形態と同様に図４に示す構造から成る。該コンデンサ素子１の陽極部２は導電部材９を介して陽極端子７と、陰極部４は陰極端子８と夫々接続されている。ここで、導電部材９の形状・材質等は特に限定されず、陽極部２及び陽極端子７と抵抗溶接等の手法で接続でき、導電性をもつものであればよい。
【００１７】
前記陰極端子８には段部が設けられており、上段部８１にて陰極端子８はコンデンサ素子１の陰極部４と接続されており、下段部８２は、外装樹脂６から露出している。ここで、下段部８２の上面と、外装樹脂６の下端面と、陽極端子７の上面とは略同一平面を形成している。また上段部８１からは、コンデンサ素子１の陽極部２と陰極部４が連なる方向に略垂直方向に立ち上がり部８３を有している。図２の固体電解コンデンサをＸ方向から見たときの透視図を図３に示す。
【００１８】
該立ち上がり部８３は、コンデンサ素子１の陰極部４と接続している。これにより、陰極部４と陰極端子８の接触面積が増大し、固体電解コンデンサのＥＳＲの低減に寄与する。陰極部４と陰極端子８との接触面積をさらに大きくさせるため、図２に示すように、立ち上がり部８３は延在部８３ａを有している。該延在部８３ａの延在方向は特に限定されないが、立ち上がり部８３が上段部８１の陽極端子７から最も近い箇所から立ち上がっている場合、陰極部４方向に延在していることが好ましい。上述のように延在部８３を設けることで、コンデンサ素子１と陰極端子８との接触面積が増大し、コンデンサのＥＳＲ低減に寄与する。
【００１９】
また、本実施の形態も、実施の形態１と同様に陽極端子７と陰極端子８の下段部８２は、コンデンサ素子１の陽極部２と陰極部４が連なる方向について、夫々外装樹脂から突出している。このため、基板実装の際、半田フィレットが容易に確認できると共に、基板とコンデンサとの密着性が向上する。
【００２０】
図２の固体電解コンデンサにおいても、陽極端子７及び陰極端子８の下段部８２は夫々コンデンサ素子１の陽極部２と陰極部４が連なる方向について、外装樹脂６から突出しており、該突出した側面にはメッキ処理が施されている。このような構成とすることで、固体電解コンデンサを基板に実装する際、半田フィレットを容易に確認することができる。上記実施の形態は、本発明を説明するためのものに過ぎず、特許請求の範囲に記載の発明を限定する様に解すべきでない。本発明は、特許請求の範囲内及び均等の意味の範囲内で自由に変更することができる。
【符号の説明】
【００２１】
１．  コンデンサ素子
１．  陽極部
２１．陽極リード
２２．陽極体
３．  誘電体皮膜層
４．  陰極部
４１．陰極層
４２．陰極引出層
６．  外装樹脂
７．  陽極端子
８．  陰極端子
９．  導電性部材
【図１】
2011160011.tif 000003
【図２】
2011160011.tif 000004
【図３】
2011160011.tif 000005
【図４】
2011160011.tif 000006
【図５】
2011160011.tif 000007